(57)【要約】【課題】  冷蔵庫の操作パネルを有する基板収納部材や基板に結束される電線等を埋設する空間を、内箱側壁に設けると、該部の断熱材厚さが薄くなり、該部よりの熱漏洩量が増加する恐れがあった。【解決手段】  発泡断熱材を充填してなる箱体若しくは扉体の断熱材中に、基板を設置し、該基板に取り付けた可変抵抗器の操作軸に設けられた操作軸凹部を、前記可変抵抗器の本体内迄とし、操作パネル側に取り付けられる操作ツマミの軸を、前記操作軸凹部に軸着すると共に、前記可変抵抗器の操作軸を操作パネルより突出させるようにして、前記基板等を埋設する部分の断熱材厚さを厚くした。【選択図】  図３
2006105433.tif 000002
【特許請求の範囲】
【請求項１】
表面に操作部を有し、裏面に基板を固定する基板収納部材が、内板と外板との間に断熱材を有する断熱壁に開けられた穴に爪を介して取り付けられる冷蔵庫において、
前記基板の上方位置で前記裏面から前記断熱壁の奥側に突出し、端縁部が前記基板よりも奥側まで延伸し、前記端縁部の高さが根元部の高さよりも高く傾斜して形成されたひさし部と、前記ひさし部の上方で前記穴の周縁部と当接する冷蔵庫。
【請求項２】
前記端縁部の高さは前記穴の上方の周縁部の下端よりも高い位置とした請求項１に記載の冷蔵庫。
【請求項３】
冷蔵庫箱体若しくは扉体に操作パネルを取り付けた冷蔵庫において、前記冷蔵庫箱体若しくは扉体と前記操作パネルの裏面との間に、水滴が基板側に入らないで、箱体若しくは扉体側に流下する溝を、操作パネルの裏面に設けたことを特徴とする請求項１に記載の冷蔵庫。
【請求項４】
発泡断熱材が充填される箱体若しくは扉体に基板を備え、この基板の前面を覆う操作パネルによって前記基板の操作を行う冷蔵庫において、
前記基板上には、軸に設けられた操作軸凹部に装着される操作ツマミで軸を操作することによって抵抗値を可変とする可変抵抗器を有し、
前記可変抵抗器の操作軸を前記パネル表面よりも突出させ、かつ、前記操作軸凹部の底面を前記可変抵抗器の前方端部よりも後方に位置させた冷蔵庫。
【請求項５】
前記操作ツマミは、前記可変抵抗器を外周から覆うようにツバ部及び外周リブを備え、
このツバ部及び外周リブは、前記可変抵抗器の前方端部より後方側に位置する請求項４に記載の冷蔵庫。
【請求項６】
表面に操作部を有し、裏面に基板を固定する基板収納部材が、内板と外板との間に発泡断熱材を有する断熱壁内であって前記発泡断熱材から区画された空間と連通する穴に、爪を介して配設された冷蔵庫において、
前記基板収納部材の投影面上の前記断熱壁内に真空断熱材を備え、
前記基板収納部材は、前記基板の上方位置で前記裏面から前記断熱壁の奥側に突出し、端縁部が前記基板よりも奥側まで延伸し、前記端縁部の高さが根元部の高さよりも高く傾斜して形成されたひさし部と、前記ひさし部より上方で前記穴の周縁部と当接する当接部とを有し、
前記空間と前記真空断熱材との間を3mm以上とし、前記空間と前記真空断熱材との間を発泡断熱材が充填される冷蔵庫。
【請求項７】
表面に操作部を備え、裏面に基板を収納し、裏面側に立ち上がりフランジを設けた箱状の基板収納部材とでなる操作パネルを断熱材側に設置するための操作パネル結合穴を有し、前記操作パネルを前記操作パネル結合穴に取り付けた冷蔵庫において、上部立ち上がりフランジを、該上部立ち上がりフランジと前記操作パネルとの間に、水滴を溜めることが出来るように形成し、該フランジ端部より水滴が基板側に滴下しないように傾斜させたことを特徴とする冷蔵庫。
【発明の詳細な説明】
【技術分野】
【０００１】
本発明は、操作装置を有する冷蔵庫に関する。
【背景技術】
【０００２】
操作装置として温度調節装置を有する冷蔵庫に関する従来の方式は、特許文献１のように、内箱側面に開けられた穴と、その裏面に基板を固定し、その表面に操作部を有する箱状の基板収納部材と、前記穴周縁の裏面と当接するフランジを有し、その内部に空間を形成した断熱材カバーとからなり、前記基板収納部材は、箱状の上部フランジから一連のリブを垂設し、前記断熱材カバーを前記内箱側面に埋設し、前記基板と前記基板に結束される電線が断熱材カバーの前記空間に収納されるように構成していた。
【０００３】
【特許文献１】特許第3404224号公報（図3）
【発明の開示】
【発明が解決しようとする課題】
【０００４】
上記従来技術例の構成では、内箱側壁に、基板収納部材や基板に結束される電線等を埋設する空間を設けるために、当該部分の断熱材厚さが薄くなり、この部分よりの熱漏洩量が増加する恐れがあった。従来方式の構造例を示す図8(a)を用いて説明する。
【０００５】
符号λ1で示す部分が、内箱側壁1に断熱材が配設されない空間を示すものであり、空間λ1の深さ寸法t2は、操作パネル2の深さ寸法t5と、電線4の線径寸法t7と、電線4が圧着されないために必要な、かつ、前記電線を配線するときに必要な間隙t6とt8とにより設定される。操作装置として表面に操作部を有する操作パネル2は、裏面側、すなわち、外箱と内箱との間の空間に対向する面側に基板が配置され、基板収納部材として構成される。この基板収納部材2の深さ寸法t5は、基板の構成部品であるプリント基板3aや可変抵抗器やスイッチ3bの大きさにより設定される。
【０００６】
ここで、従来冷蔵庫においては、内箱側壁厚さt1は通常25mmから30mmとなり、上記のように設定された空間λ1の深さ寸法t2は通常15mmから20mmとなる。
【０００７】
したがって、基板収納部材2等を埋設する空間λ1の部分では、断熱材厚さが通常より薄いt3寸法となるので、この基板収納部材2が埋設された部分よりの熱漏洩量が増加するという課題があったが、特許文献１にはその具体的対処方法が提示されてない。
【０００８】
また、断熱壁よりの熱漏洩量を低減するために、ウレタン等の発泡断熱材1a中に、この発泡断熱材より熱伝導率の小さい真空断熱材5を設置する場合、基板収納部材2等を埋設する部分では、断熱材厚さt3が通常の真空断熱材5の厚さt4より薄くなるために、真空断熱材を配設することができないという課題があった。
【０００９】
ここで、パネル状の真空断熱材を配設する場合には、真空断熱材に切りかき部や穴部5aを設ける必要がある。通常の真空断熱材は、その内部を高真空度にするために、その表面はガスバリヤ性を有する金属層等を含むラミネートフィルム等で形成される。しかし、真空断熱材の一部に切り欠き部や穴部5aを設けることはその製造上コスト上昇となることは当業者の良く知るところである。また、切り欠き部や穴部5aを設けると、この部分もラミネートフィルムで覆うことが必要となるため、真空断熱材の表面を覆う金属層による熱伝導によって、却って断熱壁そのものの断熱性能が低下することになり得る。
【００１０】
これを防止するために、切り欠き部や穴部5aではなく、基板収納部材2の取り付け寸法t2を考慮して、真空断熱材の当該部分に溝を形成することが可能である。しかし、無機繊維集合体を芯材として使用する真空断熱材にあっては、溝の形成に伴って繊維が断裂したり、あるいは繊維の方向性にバラツキを生ずることとなり、真空断熱材の断熱性能の低下を招くこととなる。さらには、ラミネートフィルムは、内部を真空状態としているために芯材形状に追従するが、溝部又は切り欠き部や穴部5aを設けることは、ラミネートフィルムに対する引っ張り力を生じさせ、ラミネートフィルムの破損を招きやすくなり、真空度の低下による経時劣化の原因ともなり得る。
【００１１】
したがって、基板収納部材2等を埋設する空間λ1の部分では、断熱材厚さが通常より薄く、且つ、当該部分に真空断熱材等の高断熱性材料を使用することが困難であるので、該部よりの熱漏洩量が増加し冷蔵庫の省エネが図れないという課題があったが、特許文献１にはその具体的対処方法が提示されてない。
【００１２】
また、基板部への水滴浸入の恐れについて、従来方式構造例である図8(b)について説明する。図8(b)において、2が箱状の基板収納部材であり、2fが前記基板収納部材の箱状の上部フランジ2eに垂設された一連のリブである。リブ2fは内箱面1bに平行となるように設けられており、前記箱状の上部フランジ2eに外部より侵入した水分を、一連のリブ2fにより堰き止めるものである。しかし、上部フランジ2eに外部より侵入した水分は、冷蔵庫の扉開閉や冷蔵庫自身の移動等による振動や、冷蔵庫自身の設置場所による傾斜等により、箱状の上部フランジ2eより乗り越え、または2eより側部フランジへと落下し、振動や傾斜等により、箱状フランジの開口部へ矢印λ2やλ3で示すように降下して、基板に付着する恐れがあった。しかし、特許文献１にはその具体的対処方法が提示されてない。
【００１３】
また、上部フランジ2eには、水浸入防止のためのリブ2fとともに基板収納部材（操作パネル）2の取付用のツメが設けられており、この基板収納部材2の深さ寸法は、上述のように基板の構成部品であるプリント基板3aや可変抵抗器やスイッチ3bの大きさにより設定されるものである。そこで、上述の課題に対応して基板上の各素子の配置や大きさの工夫により薄型化を可能な配置としても、ツメとリブ2fとを上部フランジ2eに設けている以上、上部フランジ2eにはツメとリブ2fとの設置スペースが必要となるため、薄型化が困難であった。一方、ツメを上部フランジ2eの左右方向全幅に延伸させて水侵入防止を兼ねる形状とした場合には、ツメ強度が大きくなり、内箱面1bの表面にツメ当接部の形状が浮き出てしまうことがあった。
【００１４】
本発明は、従来の構成が有していた課題を解決しようとするものであり、操作装置が配設される部分からの熱漏洩の低減を図り、操作装置の基板への水浸入を防ぐ構造を備えた冷蔵庫を提供することを目的とするものである。
【課題を解決するための手段】
【００１５】
本発明の請求項１に係る発明は、
表面に操作部を有し、裏面に基板を固定する基板収納部材が、内板と外板との間に断熱材を有する断熱壁に開けられた穴に爪を介して取り付けられる冷蔵庫において、
前記基板の上方位置で前記裏面から前記断熱壁の奥側に突出し、端縁部が前記基板よりも奥側まで延伸し、前記端縁部の高さが根元部の高さよりも高く傾斜して形成されたひさし部と、前記ひさし部の上方で前記穴の周縁部と当接することを特徴とするものである。この構成によれば、万一、外部よりの水滴がひさし部に滞留し、冷蔵庫に扉開閉や冷蔵庫自身の移動等による振動等が加わっても、基板部へ水が浸入しにくい冷蔵庫構造を提供できる。
【００１６】
本発明の請求項２に係る発明は、前記端縁部の高さは前記穴の上方の周縁部の下端よりも高い位置としたことを特徴とする。この構成によって、さらに基板部への水浸入を効果的に防止できる。
【００１７】
本発明の請求項３に係る発明は、
冷蔵庫箱体若しくは扉体に操作パネルを取り付けた冷蔵庫において、前記冷蔵庫箱体若しくは扉体と前記操作パネルの裏面との間に、水滴が基板側に入らないで、箱体若しくは扉体側に流下する溝を、操作パネルの裏面に設けたことを特徴とする。この構成によれば、万一、外部よりの水滴がひさし部に滞留し、冷蔵庫に扉開閉や冷蔵庫自身の移動等による振動等が加わっても、水滴は溝へと案内されることとなるため、水滴が基板部へ浸入しにくい冷蔵庫構造を提供できる。
【００１８】
以上の構成によれば、基板収納部材を薄型化が可能となり、基板等を埋設する部分の断熱材厚さを厚くできるので、従来よりも熱漏洩量の低減が図れる。また、この部分に高断熱性を有する真空断熱材を設置可能となるため、熱漏洩量のさらなる低減が可能となり、省エネ上有利な冷蔵庫構造を提供できる。
【００１９】
本発明の請求項４に係る発明は、
発泡断熱材が充填される箱体若しくは扉体に基板を備え、この基板の前面を覆う操作パネルによって前記基板の操作を行う冷蔵庫において、
前記基板上には、軸に設けられた操作軸凹部に装着される操作ツマミで軸を操作することによって抵抗値を可変とする可変抵抗器を有し、
前記可変抵抗器の操作軸を前記パネル表面よりも突出させ、かつ、前記操作軸凹部の底面を前記可変抵抗器の前方端部よりも後方に位置させたことを特徴とする。この構成によれば、基板等の断熱材中に埋設される深さが小さくなり、この部分における断熱厚さがその分だけ厚くなるため、熱漏洩量が増加する割合を低減し、従来より断熱性の高い冷蔵庫を提供できる。
【００２０】
本発明の請求項５に係る発明は、
前記操作ツマミが、前記可変抵抗器を外周から覆うようにツバ部及び外周リブを備え、
このツバ部及び外周リブは、前記可変抵抗器の前方端部より後方側に位置することを特徴とするものである。この構成によれば、万一、外部よりの水滴が操作パネル面より操作ツマミに滴下しても、操作ツマミが可変抵抗器を覆うようにスカート状に形成されており、また、フランジが可変抵抗器とオーバーラップしているので、水滴は可変抵抗器の操作軸と可変抵抗器本体との継ぎ目に掛からない。したがって、水シール性の比較的弱い前記操作軸と可変抵抗器本体との継ぎ目が水滴から保護される構成となるので、可変抵抗器の電気的信頼性の向上が図れる冷蔵庫を提供できる。
【００２１】
本発明の請求項６に係る発明は、
表面に操作部を有し、裏面に基板を固定する基板収納部材が、内板と外板との間に発泡断熱材を有する断熱壁内であって前記発泡断熱材から区画された空間と連通する穴に、爪を介して配設された冷蔵庫において、
前記基板収納部材の投影面上の前記断熱壁内に真空断熱材を備え、
前記基板収納部材は、前記基板の上方位置で前記裏面から前記断熱壁の奥側に突出し、端縁部が前記基板よりも奥側まで延伸し、前記端縁部の高さが根元部の高さよりも高く傾斜して形成されたひさし部と、前記ひさし部より上方で前記穴の周縁部と当接する当接部とを有し、
前記空間と前記真空断熱材との間を3mm以上とし、前記空間と前記真空断熱材との間を発泡断熱材が充填されることを特徴とする。
【００２２】
この構成によれば、操作パネルを断熱壁に設置しても、この部分とオーバーラップして真空断熱材を配置可能としているため、断熱性能に優れて省エネに寄与する冷蔵庫を提供することができる。また、基板収納部材の取り付け空間と真空断熱材との間を3mm以上離しているため、ウレタン等の発泡断熱材の流動も確保し、両者の間にも断熱材を充填可能とし、より熱漏洩量の増加を低減できる。
【００２３】
本発明の請求項７に係る発明は、
表面に操作部を備え、裏面に基板を収納し、裏面側に立ち上がりフランジを設けた箱状の基板収納部材とでなる操作パネルを断熱材側に設置するための操作パネル結合穴を有し、前記操作パネルを前記操作パネル結合穴に取り付けた冷蔵庫において、上部立ち上がりフランジを、該上部立ち上がりフランジと前記操作パネルとの間に、水滴を溜めることが出来るように形成し、該フランジ端部より水滴が基板側に滴下しないように傾斜させたことを特徴とする。この構成によれば、万一、外部よりの水滴が前記上部立ち上がりフランジに滞留し、冷蔵庫に扉開閉や冷蔵庫自身の移動等による振動等が加わっても、水滴が基板部へ浸入し難い冷蔵庫構造を提供できる。また、操作パネルの薄型化にも寄与するため、熱漏洩量が増加する割合を低減し、従来より断熱性の高い冷蔵庫を提供できる。
【発明の効果】
【００２４】
本発明によれば、熱漏洩を低減し、操作装置の基板への水浸入を防ぐ構造を備えた冷蔵庫を提供することができる。
【発明を実施するための最良の形態】
【００２５】
以下本発明の実施の形態について、図1から図7を用いて説明する。
【実施例１】
【００２６】
本発明の第一の実施例について、図面を参照しながら説明する。
【００２７】
図1は本発明の第一の実施例を示す冷蔵庫の要部の縦断面図であり、図2は図1におけるA-A線の要部の断面図である。
【００２８】
図1に示すように、冷蔵庫の箱体11は、その内部に冷蔵温度室16や冷凍温度室17を区画形成してある。冷蔵庫の箱体11は、この箱体11の外表面を形成する外板12と内表面を形成する内板13との間にウレタン等の発泡断熱材14が充填されて断熱壁を構成している。断熱壁内には、ウレタン等の発泡断熱材14より断熱性能の優れた真空断熱材15が配設されており、本実施例では、真空断熱材15を外板12に貼り付けることによって、ウレタン等の発泡断熱材14中、すなわち断熱壁中に設置される。冷蔵温度室16の室内側壁には、操作パネルが設置されており、操作パネルの裏側には基板が固定されている。したがって、外板12と内板13との間に基板が収納されることとなる。図に示す符号30は、基板を収納する基板収納部材であり、その表面は操作パネルとなっていて、使用者はこの操作部を操作することによって各室内の温度調整が可能であり、裏側は基板収納部となっている。
【００２９】
真空断熱材15は、無機繊維集合体を積層した芯材を、ガスバリア性を有する外包材によって覆い、内部を真空状態に維持して断熱性能を高めたものを使用している。外包材としては、金属層を有するラミネートフィルムを使用する。本実施例ではパネル状の真空断熱材15を外板12に貼り付けて、外板12と内板13との間に充填されるウレタン等の発泡断熱材14中に配設している。
【００３０】
次に、前述の基板及び基板収納部材を含む操作パネルの構成を図2により説明する。
【００３１】
図において、冷蔵温度室16、冷凍温度室17の温度調節制御を行う基板20は、プリント基板21と、このプリント基板21に取り付けられた可変抵抗器22と、基板20に給電するための配線23とを備えて構成されている。可変抵抗器22は、この可変抵抗器22を操作する操作軸22bに、後述する操作ツマミの軸24cを軸着する操作軸凹部22cを設けてあり、操作軸凹部22cは、その深さを可変抵抗器22の本体22a内まで達する深さとして設けられることにより、操作軸22bが可変抵抗器本体22aより突出する寸法を小さくしてある。換言すれば、図2に示すように、可変抵抗器22全体の厚み寸法h1を小さくするために、操作軸22bが可変抵抗器本体22aより突出する寸法h2を小さく形成し、この小さい突出寸法ｈ2の基でも、操作ツマミの軸24cを軸着する軸着寸法h7（h7＞h2）を確保できるように、操作軸凹部22cを可変抵抗器の本体22a内まで設けるように構成してある。
【００３２】
なお、可変抵抗器22をプリント基板21に固定する脚部22fや、可変抵抗器22に通電する接点爪22eの高さ寸法h4を小さく構成して、基板20の厚さ寸法を小さくし、前述の可変抵抗器22全体の厚さ寸法h1を小さくする構成にしてある。また、可変抵抗器本体22aの高さ寸法h3が大きくても、上述のように、操作軸22bが可変抵抗器本体22aより突出する寸法h2を小さくすれば、前述の可変抵抗器22全体の高さ寸法h1を小さくできることは自明である。
【００３３】
なお、可変抵抗器の固定脚部22fから基板収納部材30のフランジの奥端までの断熱壁厚さ方向の寸法h5、及び配線23の線径およびその周辺に設定する隙間寸法で決まる、基板収納部材30のフランジ奥端から断熱材カバーまでの断熱壁厚さ方向の寸法h6は、基板上の部品端子寸法等があるため、従来寸法以上小さくすることは難しい。したがって、基板20を配置するために断熱壁内に形成される空間の断熱壁厚さ方向の寸法を小さくするために、上述のように可変抵抗器22全体の高さ寸法h1を小さくすることによって達成するものである。
【００３４】
なお、上述した可変抵抗器に替えて、この部分に、同様の他のスイッチ類を採用しても、同様の効果の生じることは自明である。
【００３５】
次に、上述のように構成した基板20を、基板収納部材30内に収納する構成例について、同じ図2により説明する。基板収納部材30の表面は操作パネル31として冷蔵温度室16に面して配設されている。この操作パネル31のフランジ部31aより、前述の可変抵抗器22の操作軸22b先端をL1寸法だけ突出させることにより、基板収納部材30の断熱材中への埋設寸法L3を小さく設定してある。換言すれば、断熱壁のウレタン等の発泡断熱材14中に、厚さL6を有する真空断熱材15を設置しても、この真空断熱材15と、断熱材カバー27との距離寸法L5（L5＞零）を確保できるように、操作軸22b先端を操作パネルのフランジ部31aよりL1寸法だけ突出させる構成にしてある。なお、距離寸法L5は、ウレタン等の発泡断熱材が容易に充填できるように3mm以上を確保することが望ましい。
【００３６】
換言すれば、操作パネル31の配設スペースを断熱壁内に確保するにあたっては当該部分の断熱壁厚さが小さくなるため、真空断熱材15を配設することが有効である。しかし、この真空断熱材15と基板収納部材30とによって挟まれる部位にウレタン等の発泡断熱材の充填するには、次のような問題が生ずる。すなわち、内板13側には、基板収納部材30を配設するための収納スペースとして断熱材カバー27のような区画部材によって空間が形成される。一方、断熱壁の外板12側には真空断熱材15が配設されることとなるため、この両者に挟まれる空間に発泡断熱材を充填するには、両者間の距離が重要となる。この距離寸法L5は、ウレタン等の発泡断熱材の流動を可能とするために3mm以上としており、さらに望ましくは4mm以上確保して、断熱材の流動を滑らかにしている。
【００３７】
したがって、断熱壁のウレタン等の発泡断熱材14中に、厚さL6を有する真空断熱材15を設置しても、真空断熱材15と断熱材カバー27と間に、ウレタン等の発泡断熱材が容易に充填できるようなL5寸法となるように、基板収納部材30の埋設寸法L3を小さくするように、操作軸22b先端を操作パネルのフランジ部31aよりL1寸法だけ突出させるのが望ましい。
【００３８】
次に、図3により説明する。
【００３９】
図3は、図1におけるB-B線の要部の断面図であり、前述の図1及び図2と同一構成については、同一符号を付して詳細な説明を省略する。
【００４０】
図において、冷蔵庫の温度切り替えや特殊機能を制御するために操作パネル31上から操作される操作スイッチ28と、この操作スイッチ28によって操作されると点灯又は消灯する機能表示灯用のＬＥＤ29は、前述した可変抵抗器22と同一のプリント基板21に固定されている。これらは、基板収納部材30の表面を形成する操作パネル31側より、操作可能或いは目視可能になるように構成されている。操作スイッチ28やLED29のプリント基板21よりの高さ寸法h13やh14は、前述の可変抵抗器22のプリント基板21よりの高さ寸法h12より小さく構成されているので、操作スイッチ28やLED29は、操作パネル31より突出しないで設置されている。換言すれば、基板収納部材30に収納される複数の構成部品中、高さの高い可変抵抗器22のみを、操作パネル31より突出して設置することにより、断熱材中への埋設寸法L3を小さくするように構成してある。
【００４１】
本発明の第一の実施例は、図2に示すように、可変抵抗器の操作軸22bを操作パネル31より突出させるようにしたので、基板収納部材30の断熱材中に埋設される深さ寸法L3が小さくなり、該部の断熱厚さがその分だけ厚くなるので、該部よりの熱漏洩量が増加する割合を低減する冷蔵庫構造を提供できる。また、前述のように、基板収納部材30を埋設する部分の断熱材厚さを厚くできるので、該部に高断熱性を有する真空断熱材を設置でき、該部よりの熱漏洩量を低減できるため、省エネ上有利な冷蔵庫構造を提供できる。
【００４２】
次に、同じ図3及び図4を用いて、外部よりの水滴に対処する構成例を説明する。可変抵抗器22の操作軸22bに軸着された操作ツマミ24は、可変抵抗器22の操作軸22bに、外部よりの水滴が滴下しないように、操作ツマミ24の側面部24aで、可変抵抗器本体22aより延出した操作軸22bをスカート状に覆うとともに、このスカート部から、外部よりの水滴が、操作軸22b部に浸入しないようにスカート部の裾位置にツバ部24dを備え、また、このツバ部24dには操作軸22bを外周から囲むように外周リブ24eを備えている。さらには、操作パネル31の裏面にはこの外周リブ24eをさらに外周から囲むような外周リブを備えてもよい。この場合、両外周リブは、互いにオーバーラップするように形成することによって、水浸入防止効果がさらに大きくなる。なお、操作軸22bを完全に覆うために、図3に示すように、ツマミに形成した略円筒状の側面部24a及びツバ24dと可変抵抗器本体22aとをh8寸法（h8＞零）だけオーバーラップさせてある。
【００４３】
ここで、本可変抵抗器は操作軸22bを可変抵抗器本体22aに対して回転させることにより、冷蔵庫の温度調節制御をするものであるため、操作軸22bと可変抵抗器本体22aとの継ぎ目はその構造上、耐水性は他の部分より弱い構成になっている。従って、該耐水性の弱い前記継ぎ目部分を、前述のツマミ側面部24a及びツバ部24dで覆うことにより、可変抵抗器全体の耐水性が向上するのは自明である。
【００４４】
一方、箱状の基板収納部材30は、操作部の裏面側から突出する囲み部32によって囲まれた基板収納部30aを備えており、この囲み部32は基板収納部30aの上方に位置してひさし部として機能する上部立ちあがりフランジ32aと、基板収納部30aの両側部に位置する側部立ちあがりフランジ32bと、基板収納部30aの下方に位置する下部立ち上がりフランジ32cとを備えている。本実施例では、囲み部32は基板収納部30aの全周を囲んでいるわけではなく、下方位置に切り欠き部32dを形成されている。
【００４５】
上部立ち上がりフランジ32aは、図3に示すように、上部立ち上がりフランジ32aと操作パネル側31との角部32a2（根元部32a2）を、フランジ端縁32a1よりd1寸法だけ低くなるように傾斜させて構成してあり、この寸法d1は、上部立ちあがりフランジ32aの根元部32a2とフランジ端縁32a1との間の高さ方向寸法を示している。この寸法d1は、基板収納部材30が配置される位置よりも上方の内箱面13aと操作パネル31の上縁との間から水が浸入した際に、この浸入した水が基板へと至らないように設定されており、外部からの水滴が浸入するとこの上部立ちあがりフランジ32a上に滞留し、多少の振動や冷蔵庫設置位置による傾斜があっても、この水滴がフランジ端縁32a1より回りこんだり上部立ちあがりフランジ32aを乗り越えたりして基板収納部30a内に落下し難い寸法に設定してある。すなわち、フランジ32aは囲み部の一部として基板収納部30aとして形成しており、かつ、水滴から基板を保護するひさしとして機能するものである。
【００４６】
このようなフランジ32aは、傾斜していれば水浸入防止効果を奏するものであるが、フランジ端縁32a1の高さ位置が、基板収納部材30の配置位置の上側の内箱面13a下端位置よりも高い位置となるように配設すれば、効果が更に大きいものである。すなわち、寸法d1が、フランジ32aの根元部32a2から内箱面13aまでの距離よりも大きい寸法としておけば、水浸入防止効果が増大し、基板への水浸入をより効果的に防止することができる。
【００４７】
次に、図4を用いて水浸入防止構成について更に詳細に説明する。図4は、基板収納部材30の裏面斜視説明図であり、符号32aが前述の傾斜した上部立ち上がりフランジであり、この上部立ち上がりフランジ32aと連続した側部立ち上がりフランジ32bの両側面に、前述のように上部立ち上がりフランジの角部32a2より落下した水滴が流下する溝34aを有している。なお、上部立ち上がりフランジから溝34aまでの距離d2寸法及び溝34aの大きさは、上部立ち上がりフランジ上に、外部よりの水滴が浸入し、その表面張力により滞留して、この滞留量がその表面張力を超えて流れ出した場合に、流下する水滴がスムーズに流れるように構成されている。また、溝34aから流下した水滴を滞留できる溝34b1を下部立ち上がりフランジ32cよりも下方に設置してある。
【００４８】
以上のように構成されているので、本発明は、外部よりの水滴に対して下記の作用がある。
【００４９】
通常、図３に示す内箱面13aや操作パネル面31は、通常は冷蔵室温度程度の低温度になっているので、扉開閉による暖かい外気侵入や、温かい貯蔵食品の投入等により、内箱面13aや操作パネル面31には水滴が付くことがある。
【００５０】
また、冷蔵庫は飲み物等、水分を扱うことが多いため、その水分が操作パネル31にかかることは十分考えられる。したがって、まず、操作パネル面31に水滴が付着した場合を説明すると、操作パネル面31に付着した水滴は、操作ツマミ用穴31cより可変抵抗器側に浸入するが、操作ツマミの側面部24a及びツバ24dと可変抵抗器本体22aとがh8寸法（h8＞零）だけオーバーラップしており、24eの外周リブによりによりさらに漏れることがないため、水滴は可変抵抗器の操作軸22bと可変抵抗器本体22aとの継ぎ目に掛からない。したがって、水シール性の比較的弱い操作軸22bと可変抵抗器本体22aとの継ぎ目が水滴から保護される構成となるので、可変抵抗器の電気的信頼性の向上が図れる冷蔵庫を提供できる。
【００５１】
次に、内箱面13aに水滴が付着した場合を説明する。操作パネル31は、内箱面13aに形成された穴部に基板収納部材30を取り付けることによって、冷蔵庫本体に取り付けられ、その表面が操作部として庫内に面して配置される。したがって、内箱面13aに形成された穴部の上方の内箱面13aと、操作パネル31の上端位置の裏面とは、互いに当接する構造となる。すなわち、囲み部32の外側は内箱面13aに形成された穴の周縁部と当接する当接部となっており、上部立ち上がりフランジ32aの上方は、内箱面13aに形成された穴の内箱面13a表面の周縁部と面状に当接している。したがって、この当接面が隙間を生じないように接していれば、水滴が基板収納部30aへと浸入することはないが、内箱面13aと操作パネル31との間に生じる製造誤差上の隙間が生ずる場合、あるいは、冷蔵庫の扉開閉を行うことにより生じる冷熱繰り返し等を含む長期間経過後に隙間が生ずる場合には、この隙間G1部から、上部立ち上がりフランジ32a上に落下し、フランジ部に滞留することとなる。この滞留した水滴が冷蔵庫の振動等により落下する場合であっても、上部立ち上がりフランジ32aのフランジ端縁32a1が、フランジの根元部32a2より前述したようにd1寸法だけ高い位置に形成されているので、水滴がフランジ端縁32a1より基板収納部30a内に浸入することを防止できる。なお、フランジ端縁32a1より、上部立ち上がりフランジ32aと操作パネル側31との根元部32a2が低い位置に形成されているので、上部立ち上がりフランジ32a上から落下する水滴は、基板収納部と隔壁（上部立ち上がりフランジ32a自身）で分離されている角部32a2側へと向かい、基板収納部と側部立ち上がりフランジ32bで分離された位置に設けられる溝34aを流下して、基板収納部の下方に落下する。
【００５２】
したがって、上部立ち上がりフランジ32a上に、万一、外部よりの水滴が浸入し、該部より落下しても、基板収納部30a部への浸入が無いので、基板の電気的信頼性の向上が図れる冷蔵庫を提供できる。
【００５３】
また、前述したように、上部立ち上がりフランジ32a上から溝34aを流下して、下部立ち上がりフランジ32c下部の溝34b1に滞留した水滴は、図3に示す操作パネル31の最下部34b2部に滞留し、34b2部下部に生じる間隙G2より冷蔵庫庫内に還元される。なお、この間隙G2は、冷蔵庫の製造誤差上の隙間、或いは、冷蔵庫の扉開閉を行うことにより生じる冷熱繰り返し等を含む長期間経過後の隙間として形成されるものであるが、設計当初より間隙G2を所定の大きさとして設ければ、上記効果の生じ易い。
【００５４】
したがって、上部立ち上がりフランジ32a上に、万一、外部よりの水滴が浸入し、該部より落下しても、基板収納部30a部への浸入が無く、操作パネルの下部間隙G2より冷蔵庫庫内に還元されるので、基板収納部周辺の空気湿度が高くならず、基板の電気的信頼性の向上が図れる冷蔵庫を提供できる。
【実施例２】
【００５５】
次に本発明の第二の実施例を示す基板収納部材の裏面斜視説明図である図5により説明する。
【００５６】
図5において、符号40で示した部材は箱状の基板収納部材であり、その内部40aに図示しない基板を収納してある。基板収納部材40の表面には操作パネル41が形成されている。基板収納部40aの周囲は囲み部42で囲まれており、符号42a1及び42a2で示したものは基板収納部40aを上方から覆うひさし部としての上部立ち上がりフランジであり、符号42bで示したものは、基板収納部40aを両側部から囲む側部立ち上がりフランジである。上部立ち上がりフランジ42a1、42a2は、その交点42a3部が一番高くなるようにして幅方向に傾斜して形成すると同時に、その開口部40b側より操作パネル41側を低く形成してある。換言すると、第一の実施例と同様に、断熱壁厚さ方向に対し、根元部よりもフランジ端縁の方が高くなるように上部立ち上がりフランジ42aは傾斜しており、この上部立ち上がりフランジ42aは、左右方向の両側、すなわち、側部立ち上がりフランジ42bとの交点位置よりも中央部が高くなるように傾斜し、その中央部を交点42a3として、上部立ち上がりフランジ42a1と42a2とに分けられる。
【００５７】
なお、左右の幅方向の傾斜寸法K1、K2は、立ち上がりフランジ上に、外部よりの水滴が滴下もしくは、その周囲の空気湿度が飽和して立ち上がりフランジ上で結露しても、この水滴が流下する角度を形成できる寸法が望ましい。
【００５８】
なお、この寸法K1、K2を同一寸法として、交点42a3を上部立ち上がりフランジ42aの左右方向中央部としてもよいが、これに限られるものではない。例えば、基板収納部40aに配置される基板形状等を考慮の上、交点42a3位置、及び寸法K1、K2を適宜決定すればよい。その際、傾斜角度や寸法等は、水滴が落下可能な程度としておくとよい。
【００５９】
側部立ち上がりフランジ42bの基板収納部40aの反対側の位置には、溝44aが形成されており、この基板収納部40aと壁を隔てた位置で水が下方へと流下するようにしている。したがって、操作パネル41の裏面に形成した水滴流下溝44aは、上部立ち上がりフランジ42a上に付着した水滴が、左右幅方向に形成された傾斜寸法K1、K2の傾斜によって左右いずれか、あるいは両側へと流れ、この水滴を流下できるように形成したものである。
【００６０】
以上のように構成されているので、本発明の第二の実施例は、外部よりの水滴が上部立ち上がりフランジ42a1、42a2に滴下しても、この水滴が基板収納部40aに落下しないので、基板の電気的信頼性の向上が図れる冷蔵庫を提供できる。
【００６１】
また、万一、外部よりの水滴が上部立ち上がりフランジ42a1、42a2に滴下しても、この立ち上がりフランジが幅方向と奥行き方向のいずれの側にも傾斜しているので、立ち上がりフランジからの水滴の落下を容易にできる。したがって、水滴の滞留する時間が短くなり、基板収納部周辺の空気湿度が高くならないので、基板の電気的信頼性の向上が図れる冷蔵庫を提供できる。
【００６２】
すなわち、幅方向と奥行き方向のいずれの側にも傾斜させたことによって、基板収納部40aへの水浸入防止効果は大きく、水浸入から基板を保護することができるが、水滴の流下効果と併せると、基板を湿気からも保護することができ、電気的信頼性の向上がより図れるものとなる。
【実施例３】
【００６３】
次に本発明の第三の実施例について図6から図7により説明する。
【００６４】
図6は本発明の第三の実施例における基板収納部材の要部断面図であり、図7は図6の基板収納部材の裏面斜視説明図である。なお、前述の図3と同一構成については、同一符号を付して詳細な説明を省略する。
【００６５】
図6及び図7において、符号13dで示した部分は、箱体の内箱に設けられた穴の上方にある内箱面であり、この内箱に設けられた穴は、箱形状の基板収納部材50が嵌合可能な大きさを有している。内箱の穴には箱状の基板収納部材50が嵌合され、操作パネル51の裏側で、囲み部52によって囲まれた内部50aに基板20を収納してある。基板収納部材50の表面には操作パネル51が形成され、その表面には操作ツマミ24が、操作可能に設けられている。
【００６６】
基板収納部50aの周囲を囲む囲み部52のうち、上方はひさし部として機能する上部立ち上がりフランジ52aによって基板20を上方から覆われている。この上部立ち上がりフランジ52aには、可撓性を有する爪部54が設けられており、この爪部54によって、箱状の基板収納部材50を内箱に形成された穴に係止している。上部立ち上がりフランジ52aには設けられたリブ53が設けられ、このリブ53と操作パネル51との間に、内箱に形成された穴周辺の内箱13dが挿入できる隙間53aを有している。また、リブ53は、爪部54が、万一破損しても内箱に形成された穴に、基板収納部材50を係止しておけるように、内箱穴13dとのオーバーラップ代K3を有している。換言すれば、リブ53のみで、基板収納部材50を内箱穴に係止しておけるように、オーバーラップ代K3寸法が設定されている。
【００６７】
以上のように構成されているので、本発明の第三の実施例は、可撓性を有する爪部54が、万一、製造上の外力や製造後の内部応力により破損しても、リブ53が、基板収納部材50を内箱穴に係止しているので、基板20の露出や落下が無いので、基板20の電気的安全性が保持できる冷蔵庫を提供できる。
【図面の簡単な説明】
【００６８】
【図１】本発明の第一の実施例を示す冷蔵庫の要部の縦断面図。
【図２】図１におけるA-A線の要部の断面図。
【図３】図１におけるB-B線の要部の断面図。
【図４】本発明の第一の実施例を示す基板収納部材の裏面斜視説明図。
【図５】本発明の第二の実施例を示す基板収納部材の裏面斜視説明図。
【図６】本発明の第三の実施例における基板収納部材の要部断面図。
【図７】本発明の第三の実施例を示す基板収納部材の裏面斜視説明図。
【図８】従来方式を示す要部の説明図。
【符号の説明】
【００６９】
11…箱体、20…基板、22…可変抵抗器、22b…操作軸、22c…操作軸凹部、24c…操作ツマミの軸、30…基板収納部材、31…操作パネル。
【図１】
2006105433.tif 000003
【図２】
2006105433.tif 000004
【図３】
2006105433.tif 000005
【図４】
2006105433.tif 000006
【図５】
2006105433.tif 000007
【図６】
2006105433.tif 000008
【図７】
2006105433.tif 000009
【図８】
2006105433.tif 000010